(57)【要約】【課題】使い易く、汚れても洗浄により接着性を回復可能であり、かつまた、時間が経っても変質したり貼り付け跡が残ったりしないシート状貼り付け具を提供する。【解決手段】ブチルゴム素材に有機溶剤を混合したものを材料として、差し渡しが数十ミリメートル以下、その場合の厚さが約２ミリメートル以下のシート状基材を形成し、上記シート状基材の表面における接着性を変化させるために、当該シート状基材の表面と裏面の一部又は全部に、平滑面又は粗面を形成する。上記ブチルゴム素材にはイソブチレン−イソプレン共重合体の塩化物、有機溶剤にはエチレングリコールモノブチルエーテルを使用することが望ましい。【選択図】          図２
0003125361.tif 000002
【実用新案登録請求の範囲】
【請求項１】
ブチルゴム素材に有機溶剤を混合したものを材料として、差し渡しが数十ミリメートル以下、その場合の厚さが約２ミリメートル以下のシート状基材を形成し、
上記シート状基材の表面における接着性を変化させるために、当該シート状基材の表面と裏面の一部又は全部に、平滑面又は粗面を形成してなることを特徴とするシート状貼り付け具。
【請求項２】
ブチルゴム素材はイソブチレン−イソプレン共重合体の塩化物であり、有機溶剤はエチレングリコールモノブチルエーテルである請求項１記載のシート状貼り付け具。
【考案の詳細な説明】
【技術分野】
【０００１】
本考案は、繰り返し使用可能なシート状貼り付け具に関するものである。
【背景技術】
【０００２】
従来、チラシやパンフレット、広告その他の印刷物などの紙やシート状のものを、壁や仕切り板或いはドア、ガラス面などに貼り付けるには、セロファンテープや両面に粘着部を設けたテープ類が多く使用されてきた。この種のテープ類は貼り付けるのも剥がすのも手軽にできるが、時間が経つと変質し、貼り付けた面から剥がしにくくなるのみならず、貼り付けた跡が残って汚い感じとなる欠点がある。
【０００３】
貼り付ける場所が鉄合金製の場合には、磁石を使用して貼り付けることも可能である。しかし、壁や仕切り板などが磁性体からできていない場合には磁石を使用することはできず、何所にでも貼り付けられるものではない。また、磁石の場合には磁気吸着力がものによって変化し、保持力が低い場合ずれて押さえが効きにくくなるということもある。
【０００４】
特許文献では、実開平６−８１７９８号に、片面が粘着性かつ他面が剥離性である粘着片を粘着面と剥離面が接触するようにして多数枚重ねて納めた粘着片保持具の考案を提案している。しかし、同考案における粘着面には前記テープ類と同様の粘着剤が使用され、やはり変質したり、跡が残ったりすると考えられる。
【０００５】
【特許文献１】実用新案出願公開平成６年第８１７９８号
【考案の開示】
【考案が解決しようとする課題】
【０００６】
本考案は以上の点に着目して成されたもので、その課題は、使い易く、汚れても洗浄により接着性を回復可能なシート状貼り付け具を提供することである。また、本考案の他の課題は、時間が経っても変質したり跡が残ったりしないシート状貼り付け具を提供することである。
【課題を解決するための手段】
【０００７】
前記の課題を解決するため本考案は、ブチルゴム素材に有機溶剤を混合したものを材料として、差し渡しが数十ミリメートル以下、その場合の厚さが約２ミリメートル以下のシート状基材を形成し、上記シート状基材の表面における接着性を変化させるために、当該シート状基材の表面と裏面の一部又は全部に、平滑面又は粗面を形成するという手段を講じたものである。
【０００８】
本考案に係るシート状貼り付け具は、シート状をした貼り付け具であり、冒頭に記載したチラシやパンフレット、広告その他の印刷物などの紙やシート状の物（以下、貼り付け物という。）を、壁や仕切り板或いはドア、ガラス面などの面（以下、被着面という。）に貼り付ける用途に使用することができる。本考案の貼り付け具におけるシート状という形態は、貼り付け物とそれを貼り付ける被着面との間に介在させたり、或いは貼り付け物と被着面の両方に同時にかかるように貼り付けたりすることを可能にするために必要な形態である。
【０００９】
そこで、このシート状貼り付け具は、差し渡しが数十ミリメートル以下、その場合の厚さが約２ミリメートル以下のシート状基材という形態を取る。差し渡しが数十ミリメートルを超え、かつ、厚さが約２ミリメートルを超えると、シート状基材自体の重さも大きくなり過ぎるのに対して、接着力は向上することが少なく、また、広告その他の印刷物などの紙やシート状の貼り付け物に対して大き過ぎて使いにくい。最も望ましい形態は、差し渡しが２０〜４０ミリメートル、厚さが約１ミリメートルである。
【００１０】
このような本考案のシート状基材は、ブチルゴム素材に有機溶剤を混合したものを材料として形成しているものである。ブチルゴムは、イソプレンにイソブチレンを共重合させたもので、二重結合が少なく加硫しにくいとされているが、本考案では、これに、有機溶剤を混合することにより、粘着性を帯びさせて接着手段とする。
【００１１】
本考案の場合、そのブチルゴム素材は、クロロブチル（イソブチレン−イソプレン共重合体の塩化物）、有機溶剤にはブチルセロソルブ（エチレングリコールモノブチルエーテル）を使用している。そして、クロロブチル１００重量パーセントに対して、ブチルセロソルブ５〜１９重量パーセントを混合したものである。
【００１２】
さらに、本考案では、上記シート状基材の表面と裏面における接着性を変化させるために、当該シート状基材の表面と裏面の一部又は全部に、平滑面又は粗面を形成する。シート状基材の表面と裏面の一部とは、どのような形態も取り得る。例えば、表面と裏面の両面とも平滑面か、粗面にする場合、表面を平滑面、裏面を粗面にする場合がある。また、表面の一部を平滑面、残りの部分を粗面に形成することもでき、裏面についても同様である。よって、両面とも光沢面から成る最も接着性の良いものと、両面とも粗面からなる最も接着性の良くないものとの間で、被着面と貼り付け物に適した組み合わせを取ることができる。
【００１３】
この構成により、本考案のシート状基材は、その一面で、被着面に自由に接着することができ、かつまた、その他面に、広告その他の印刷物などの紙やシート状の貼り付け物を貼り付けることができる。しかも、被着面はガラスや壁紙など、貼り付け物は紙ないしプラスチックシートなどと、接着性の異なる場合も多いけれども、接着しにくいものに対しては光沢面で接着させ、接着し過ぎるものに対しては粗面で接着させる、というように対象に応じて接着性を選択することができる。
【００１４】
なお、本考案のシート状基材は、それ自体が接着性を有しているので、接着と剥離を繰り返すと、接着面に汚れが付着し、その結果接着性は当然低下することになる。使用前に埃の付着することもある。しかし、シート状基材自体の物性は変化せず、単に表面又は裏面が汚れているだけであるので、洗浄することにより元のとおりの接着性を回復することができる。
【考案の効果】
【００１５】
本考案は上記のように、ブチルゴム素材に有機溶剤を混合したものを材料として構成されるものであるから、使い易く、汚れても洗浄により接着性を回復可能なシート状貼り付け具を提供することができ、かつシート状基材の表面と裏面における平滑面又は粗面により接着性を変化させることができるという効果を奏する。また、本考案によれば、時間が経っても変質したり跡が残ったりしないシート状貼り付け具を提供することができる。
【考案を実施するための最良の形態】
【００１６】
以下図示の実施形態を参照し、本考案に係るシート状貼り付け具１０について、より詳細に説明する。図１は、クロロブチル１００重量パーセントに１２重量パーセントのブチルセロソルブを混合したものを材料として、シート状に成形し、それをプレスにより型抜きして、差し渡しが約３０ミリメートル、厚さが約１ミリメートルのシート状基材を形成したもので、図１Ａは円形のもの、図１Ｃは方形のものの例である。いずれのものも、一様な厚さを有しており（図１Ｂ）、かつ、単一の断面構造を有している（図１Ｄ）。
【００１７】
さらに、本考案におけるシート状基材には、その表面と裏面における接着性を変化させるために、当該シート状基材の表面の一部又は全部に、平滑面１１又は粗面１２が形成されている。図２Ａは鏡面仕上げのように滑らかな平滑面１１を表面全部に形成した例、図２Ｂは梨地模様のように荒れさせた粗面１２を表面全部に形成した例を示す。
【００１８】
図３に本考案に係るシート状貼り付け具１０の使用状態を例示する。図３において、符号１３は印刷物などの貼り付け物を示す。シート状貼り付け具１０は、図３の左半分では貼り付け物１３と被着面１４の間に位置しているので、シート状貼り付け具１０の表面は貼り付け物１３に接着し、シート状貼り付け具１０の裏面は被着面１４に接着していることになる（図４）。貼り付け物１３が紙の場合には、本考案のシート状貼り付け具１０は十分な接着性を示す。これに対して被着面１４が凹凸のある壁紙の場合、接着性が良いとはいえないので、平滑面１１で被着面１４に接着するようにする。
【００１９】
図３の右半分では、１枚のシート状貼り付け具１０が、貼り付け物１３と被着面１４の両方に接着しているので、シート状貼り付け具１０の裏面は一部でのみ貼り付け物に接着し、かつ、被着面１４にも接着していることになるので、良好な接着性が求められる（図５）。よってこの場合一般的には、平滑面１１で、貼り付け物１３及び被着面１４に接着することが望ましい。しかし、貼り付け物１３及び被着面１４が、ともに平滑で接着性の良いものである場合には、粗面１２でも十分な接着力を期待できる。
【００２０】
よって本考案によれば、どのような被着面１４に対しても、殆どの貼り付け物１３を、確実に貼り付けることができ、シート状貼り付け具１０という形態的な特徴により、自由度の高い貼り付けが可能である。これまでの説明では、貼り付け物１３の４隅にシート状貼り付け具１０を用いているだけである。しかし、本考案のものはあたかも接着剤のように何所にでも使うことができ、例えば図３に鎖線で示したように、貼り付け物１３の中央部でも自由に貼り付けられ、荷重を負担したり、平面性を保ったりするなどの用途にも効果を発揮する。
【図面の簡単な説明】
【００２１】
【図１】本考案に係るシート状貼り付け具を示すもので、Ａはその一例の平面図、Ｂはその側面図、Ｃは同じく他の例の平面図、Ｄはその断面図である。
【図２】図１のものの表面の形態の２分の１を示すもので、Ａは平滑面の平面図、Ｂは粗面の平面図である。
【図３】本考案の適用例を示す、一部省略平面図である。
【図４】図３のＩＶ−ＩＶ線断面図である。
【図５】図３のＶ−Ｖ線断面図である。
【符号の説明】
【００２２】
１０  シート状貼り付け具
１１  平滑面
１２  粗面
１３  貼り付け物
１４  被着面
【図１】
0003125361.tif 000003
【図２】
0003125361.tif 000004
【図３】
0003125361.tif 000005
【図４】
0003125361.tif 000006
【図５】
0003125361.tif 000007